(57)【要約】【課題】  舗装道路に降った大量の雨水を段階的に分流して、排水処理する雨水分流枡の提供を図る。【解決手段】  Ｌ型ブロックＳの下方に配置あるいはＵ字溝Ｃに接続され、かつ、排水パイプ１９を介して雨水排水路に連結される雨水分流枡１０であって、上部が開放された枡体１１の底面所定位置に少なくとも一以上のオーバーフロー壁１７が枡体１１の側壁高さ位置より下方の中間所定高さ位置を上端として立設されているとともに、該オーバーフロー壁１７によって枡体１１内が分離されてできた各分岐槽１２に、夫々排水管連結用孔１８が設けられている構造を採用している。【選択図】図１
2011038241.tif 000002
【特許請求の範囲】
【請求項１】
Ｌ型ブロックの下方に配置あるいはＵ字溝に接続され、かつ、排水管を介して雨水排水路に連結される雨水分流枡であって、上部が開放された枡体の底面所定位置に少なくとも一以上のオーバーフロー壁が枡体の側壁高さ位置より下方の中間所定高さ位置を上端として立設されているとともに、該オーバーフロー壁によって枡体内が分離されてできた各分岐槽に、夫々排水管連結用孔が設けられていることを特徴とする雨水分流枡。
【請求項２】
前記雨水分流枡において、前記オーバーフロー壁の上端高さ位置が、前記排水管連結用孔の上端位置と略同一であることを特徴とする請求項１に記載の雨水分流枡。
【請求項３】
前記雨水分流枡において、前記枡体の側面あるいは底面の少なくとも一方における所定箇所に浸透機能が備えられていることを特徴とする請求項１記載または請求項２に記載の雨水分流枡。
【発明の詳細な説明】
【技術分野】
【０００１】
本発明は、舗装道路に降った大量の雨水を段階的に分流して排水処理する雨水分流枡に関する。
【背景技術】
【０００２】
道路に降った大量の雨水を排水処理する方法としては、道路の側端にＵ字溝を設けて道路に降った雨水を直接排水する方法と、道路の側端にＬ型側溝ブロックを設けて道路に降った雨水を一定間隔に設けた排水槽に集水して既設の排水施設や河川に排水する方法とがある。
【０００３】
上記Ｕ字溝を設けて排水する方法は、道路に沿ってＵ字溝を埋設する工事やＵ字溝の上面を塞ぐグレーチングや側溝蓋を必要とするため、工事費やコンクリート二次製品などの施工コストを必要とするものであり、一方、Ｌ型側溝ブロックを設けて既設の排水施設や河川に排水する方法は、Ｌ型側溝ブロックの下方に一定間隔に排水槽を配置するもので、工事費やコンクリート二次製品などの施工コストを抑制することができるものである。
【０００４】
しかしながら、上記Ｌ型側溝ブロックを設けて既設の排水施設や河川に排水する方法は、豪雨時において、舗装道路に降った大量の雨水がＬ型側溝ブロックの上面を流れて一定間隔に配置された排水槽に一挙に流れ込むために、処理能力の限界を超えた流水が流れ込んだ場合に、排水処理しきれずに時として排水槽から溢れ出すことがあった。
【０００５】
排水槽から溢れ出す原因として考えられることは、上述の通り、一つの排水口に排水能力を超えた雨水が流れ込むことも一因と考えられるが、舗装道路に降った大量の雨水が、排水槽内で衝突してしまい雨水の流れが混乱することや、排水パイプに大量の雨水が一挙に流れ込もうとするために雨水が排水槽内で滞留することが原因と考えられる。
【０００６】
上記の問題点を解決しようとして、三連続枡の集水枡の両側に設けられた集水枡から中央桝へ雨水をオーバーフローさせ、該中央桝からスクリーンを設けた連通口を通して排水パイプへ流出させる「暗渠排水構造及び雨水の浸透処理方法」の技術が公知になっている（特許文献１参照）。
【０００７】
しかしながら、上記技術は、通常の降雨時に含まれるゴミや砂利などが排水パイプに流れ込むことを防ぐことができる技術ではあるが、豪雨時などの大量の雨水が集中的に集水枡に流れ込んだ場合、スクリーンを設けた連通口が雨水に含まれるゴミや砂利で詰まる可能性があると共に、連通口自体が流入口に比べて口径が小さく、排水処理能力がないものであり、さらにオーバーフローした雨水が一つの排水口に集中して流入するため効率的に排水されない構造であった。
【０００８】
【特許文献１】特開２００６―３２８６４０号公報
【発明の概要】
【発明が解決しようとする課題】
【０００９】
本発明は、上記問題点を鑑み、舗装道路に降った大量の雨水を段階的に分流して排水処理する雨水分流枡の提供を図るものである。具体的には、雨水を段階的に分流する構造と、その分流された雨水を雨水分流枡内に滞留させることなく速やかに排水する構造が必要である。
【課題を解決するための手段】
【００１０】
上記課題を解決するため、本発明は、Ｌ型ブロックの下方に配置あるいはＵ字溝に接続され、かつ、排水パイプを介して雨水排水路に連結される雨水分流枡であって、上部が開放された枡体の底面所定位置に少なくとも一以上のオーバーフロー壁が枡体の側壁高さ位置より下方の中間所定高さ位置を上端として立設されているとともに、該オーバーフロー壁によって枡体内が分離されてできた各分岐槽に、夫々排水管連結用孔が設けられた構成を採用している。
【００１１】
また、本発明は、前記雨水分流枡において、前記オーバーフロー壁の上端高さ位置が、前記排水管連結用孔の上端位置と略同一である構成を採用し得る。
【００１２】
さらに、本発明は、前記雨水分流枡において、前記枡体の側面あるいは底面の少なくとも一方における所定箇所に浸透機能が備えられている構成とすることもできる。
【発明の効果】
【００１３】
本発明にかかる雨水分流枡によれば、オーバーフロー壁によって枡体内が分離されて各分岐槽が形成されるため、舗装道路に降った大量の雨水を段階的に分流して排水することができるという優れた効果を奏するものである。
【００１４】
また、本発明にかかる雨水分流枡によれば、集水槽の側面ならびに底面にフィルタ、グレーチング、メッシュメタルなどを使った浸透機能を有した浸透口を設けた構造にすることで、特に通常の降雨時の雨水処理において、排水パイプにゴミや砂利の流出を防ぎ、さらに地下に雨水を浸透させることができるという優れた効果が得られるものである。
【図面の簡単な説明】
【００１５】
【図１】本発明における雨水分流枡の実施形態を示した全体斜視図である。
【図２】本発明における雨水分流枡の実施形態を示す説明図である。
【図３】本発明における雨水分流枡の別の実施形態を示す説明図である。
【図４】本発明における雨水分流枡の別の実施形態を示す説明図である。
【図５】本発明における雨水分流枡の別の実施形態を示す説明図である。
【図６】本発明における雨水分流枡の別の実施形態を示す説明図である。
【発明を実施するための形態】
【００１６】
本発明は、オーバーフロー壁１７によって枡体１１内が分離されて各分岐槽１２が形成されるとともに、その各分岐槽１２内に夫々排水管連結用孔１８が設けられた構成とすることで、雨水を段階的に分流する機能と、その分流された雨水を雨水分流枡１０内に滞留させることなく速やかに排水する機能とを兼ね備えたことを最大の特徴とする。以下、本発明にかかる雨水分流枡１０の実施形態を、図面に基づき説明する。
【００１７】
図１は、本発明における雨水分流枡１０の設置例を示した全体斜視図であり、図１（ａ）はＬ型ブロックＳの下方に配置された場合、図１（ｂ）はＵ字溝Ｃに接続された場合について示している。該雨水分流枡１０は、排水パイプ１９を介して雨水排水路に連結された状態で設けられるものである。
【実施例１】
【００１８】
図２は、本発明にかかる雨水分流枡１０の一実施例を示す断面図であり、図２（ａ）は雨水分流枡１０の全体断面図、図２（ｂ）は雨水の流れを示す説明図である。
【００１９】
図２（ａ）に示すように、本発明にかかる雨水分流枡１０は、上部が開放された枡体１１の底面所定位置に、オーバーフロー壁１７が枡体１１の側壁高さ位置より下方の中間所定高さを上端高さ位置１７ａとして立設されており、該オーバーフロー壁１７によって、第一分岐槽１３と第二分岐槽１４とに分離して分岐槽１２が形成されている。
【００２０】
枡体１１は、例えば、高さ７３０ｍｍ、幅５５０ｍｍ、長さ１２００ｍｍを有し、６ｍｍφの鉄筋を配して、コンクリート製で形成されている。該枡体１１の開放された上部は、Ｌ型側溝ブロックＳが載置されることで塞がれる。該Ｌ型側溝ブロックＳについては、その形状等について特に限定はないが、例えば、枡体１１内部の分離された各分岐槽１２（１３，１４）の幅に合わせて、少なくとも一のＬ型側溝ブロックＳには、雨水等を流入させるための流入口を備えた構造となっている。
【００２１】
枡体１１の側面所定箇所には、排水管連結用孔１８が設けられている。該排水管連結用孔１８は、前記オーバーフロー壁１７によって分離された各分岐槽１２（１３，１４）に夫々設けられ、そこには、枡体１１内に流れ込んだ雨水を雨水排水路に流入させるための排水パイプ１９が接続される。
【００２２】
排水パイプ１９については、その材質として主に塩化ビニール製の一般的に用いられているものを使用すればよく、既設の雨水排水路や河川まで雨水を流入させるべく、土中に埋設されて配管される。
【００２３】
排水管連結用孔１８を設ける箇所について、図面では、最も好ましい箇所として、枡体１１の側壁所定箇所に設けた場合について示しているが、かかる構成に限定するものではなく、例えば、枡体１１の底面所定箇所に設ける構造であってもよい。
【００２４】
なお、枡体１１の側壁所定箇所に設けた場合には、各分岐槽１２の下方部、すなわち枡体１１の底面から排水管連結用孔１８の下端部にかけて、雨水が貯留するための貯留部１６が形成される。該貯留部１６は、流入する雨水を受け止める役目と、ゴミや砂利を貯留部１６内に沈降させることで排水管連結用孔１８から排水パイプ１９を介して雨水排水路に流出させない役目を果たすものである。
【００２５】
また、該排水管連結用孔１８を枡体１１側壁所定箇所に設ける場合について、オーバーフロー壁１７の上端高さ位置１７ａと該排水管連結用孔１８の内径高さ位置１８ａとが略同一となるようにする構造が好ましい。すなわち、第一分岐槽１３に流入した雨水は、排水処理能力を超えると排水管連結用孔１８の内径高さ位置１８ａを越えて滞留を続けることとなるが、かかる場合に瞬時にオーバーフロー壁１７を越えて第二分岐槽１４に雨水が流入するようにすることで、的確に雨水の排水処理を行うことを可能ならしめる構造となっている。
【００２６】
本発明にかかる雨水分流枡１０は、以上の通り構成される。かかる雨水分流枡１０を実際に使用した際の雨水の流入・排水状況について、図２（ｂ）に示す通りとなる。以下、図面に基づき、一のオーバーフロー壁１７により、分岐槽１２が第一分岐槽１３と第二分岐槽１４の二つに分離された場合について説明する。また、排水管連結用孔１８が枡体１１の側壁における所定箇所に設けられた場合について説明する。
【００２７】
（１）道路の側端に配置されている流入口を備えたＬ型ブロックＳの流入口から雨水が流れ込む。
（２）枡体１１の分岐槽１２における第一分岐槽１３に、雨水が流入する。
（３）流入した雨水は、第一分岐槽１３の下方の貯留部１６で一旦受け止められ、流入する勢いを和らげて一時的に溜められる。
（４）溜められた雨水は、流れを排水パイプ１９方向に変えて、排水管連結用孔１８を介して排水パイプ１９から排水される。
（５）さらに、排水パイプ１９の排水能力を超えた雨水は、第一分岐槽１３を満杯にしてオーバーフロー壁１７をオーバーフローして第二分岐槽１４に流れ込む。
（６）オーバーフローして第二分岐槽１４に流れ込んだ雨水は、第一分岐槽１３と同様、貯留部１６において流入する勢いを和らげて一時的に溜められ、さらに流れを排水パイプ１９方向に変えて、排水管連結用孔１８を介して排水パイプ１８から排水される。
このように段階的に分流されて排水処理される雨水は、既設の排水施設や河川に効率良く排水される。
【実施例２】
【００２８】
図３は、本発明における雨水分流枡の他の実施例を示す説明図である。
すなわち、枡体１１内にオーバーフロー壁１７を二つ立設させることで、分岐槽１２を三つに分離したもので、かつ、片側勾配道路に設置する例をとって説明する。
図３（ａ）は、本実施例にかかる雨水分流枡１０の全体断面図である。
図面に示す第三分岐槽１５は、基本的に前述の第二分岐槽１４の構造と役割を同じくするもので、第二分岐槽１４でオーバーフローした雨水をさらに第三分岐槽１５で排水処理することで、より効果的に雨水処理を行うものである。
【００２９】
本実施例にかかる雨水分流枡１０を実際に使用した際の雨水の流入・排水状況については、図３（ｂ）に示す通りとなる。以下、図面に基づき、本実施例にかかる雨水分流枡１０の雨水の流入・排水状況について説明する。また、排水管連結用孔１８が枡体１１の側壁における所定箇所に設けられた場合について説明する。
【００３０】
（１）道路の側端に配置されている流入口を備えたＬ型ブロックＳの流入口から、雨水が流れ込む。
（２）枡体１１の分岐槽１２における第一分岐槽１３に、雨水が流入する。
（３）流入した雨水は、第一分岐槽１３の下方の貯留部１６で一旦受け止められ、流入する勢いを和らげて一時的に溜められる。
（４）溜められた雨水は、流れを排水パイプ１９方向に変えて、排水管連結用孔１８を介して排水パイプ１９から排水される。
（５）さらに、排水パイプ１９の排水能力を超えた雨水は、第一分岐槽１３を満杯にしてオーバーフロー壁１７をオーバーフローして第二分岐槽１４に流れ込む。
（６）オーバーフローして第二分岐槽１４に流れ込んだ雨水は、第一分岐槽１３と同様、貯留部１６において流入する勢いを和らげて一時的に溜められ、さらに流れを排水パイプ１９方向に変えて、排水管連結用孔１８を介して排水パイプ１９から排水される。
（７）さらに、第二分岐槽１４に接続されている排水パイプ１９の排水能力を超えた雨水は、第二分岐槽１４を満杯にしてオーバーフロー壁１７をオーバーフローして、第三分岐槽１５に流れ込む。
（８）オーバーフローして第三分岐槽１５に流れ込んだ雨水は、第一分岐槽１３並びに第二分岐槽１４と同様、貯留部１６において流入する勢いを和らげて一時的に溜められ、またさらに流れを排水パイプ１９方向に変えて、排水管連結用孔１８を介して排水パイプ１９から排水される。
このように段階的に分流されて排水処理される大量の雨水は、既設の排水施設や河川に効率良く排水される。
【実施例３】
【００３１】
図４は、本発明における雨水分流枡のさらに他の実施例を示す説明図である。
すなわち、枡体１１内にオーバーフロー壁１７を二つ立設させることで、分岐槽１２を三つに分離したもので、かつ、両側勾配道路に設置する例をとって説明する。
図４（ａ）は、本実施例にかかる雨水分流枡１０の全体断面図である。
図面に示す第三分岐槽１５は、基本的に前述の第一分岐槽１３の構造と役割を同じくするもので、第一分岐槽１３と第三分岐槽１５とでオーバーフローした雨水をさらに第二分岐槽１４で処理することで、多量の雨水を効率良く排水処理するものである。
【００３２】
本実施例にかかる雨水分流枡１０を実際に使用した際の雨水の流入・排水状況については、図４（ｂ）に示す通りとなる。以下、図面に基づき、本実施例にかかる雨水分流枡１０の雨水の流入・排水状況について説明する。なお、排水管連結用孔１８が枡体１１の側壁における所定箇所に設けられた場合について説明する。
【００３３】
（１）道路の側端に配置されている流入口を備えたＬ型溝ブロックＳの二ヶ所の流入口から雨水が流れ込む。
（２）枡体１１の分岐槽１２における第一分岐槽１３及び第三分岐槽１５に、雨水が流入する。
（３）流入した雨水は、第一分岐槽１３及び第三分岐槽１５の下方の貯留部１６で一旦受け止められ、流入する勢いを和らげて一時的に溜められる。
（４）溜められた雨水は、流れを排水パイプ１９方向に変えて、排水管連結用孔１８を介して排水パイプ１９から排水される。
（５）さらに、第一分岐槽１３において排水パイプ１９の排水能力を超えた雨水は、第一分岐槽１３を満杯にしてオーバーフロー壁１７をオーバーフローして第二分岐集水槽１４に流れ込む。また、第三分岐槽１５において排水パイプ１９の排水能力を超えた雨水は、第三分岐槽１５を満杯にしてオーバーフロー壁１７をオーバーフローして第二分岐槽１４に流れ込む。
（６）オーバーフローして第二分岐槽１４に流れ込んだ雨水は、第一分岐槽１３並びに第三分岐槽１５と同様、貯留部１６において流入する勢いを和らげて一時的に溜められ、さらに流れを排水パイプ１９方向に変えて、排水管連結用孔１８を介して排水パイプ１９から排水される。
このように段階的に分流されて排水処理される大量の雨水は、効率よく既設の排水施設や河川に排水される。
【実施例４】
【００３４】
図５は、本発明における雨水分流枡１０のさらに別の実施例を示す説明図であり、図５（ａ）は全体断面図、図５（ｂ）は雨水の流れを示す説明図である。
すなわち、本実施例において、枡体１１の側壁所定箇所に、Ｕ字溝接続部１１ａが設けられた構成となっている。
【００３５】
本実施例にかかる雨水分流枡１０を実際に使用した際の雨水の流入・排水状況については、図５（ｂ）に示す通りとなる。以下、図面に基づき、本実施例にかかる雨水分流枡１０の雨水の流入・排水状況について説明する。なお、排水管連結用孔１８が枡体１１の側壁における所定箇所に設けられた場合について説明する。
【００３６】
（１）側溝用蓋等を介してＵ字溝Ｃ内に流れ込んだ雨水が、該Ｕ字溝Ｃ内を流れて枡体１１の側壁に設けられたＵ字溝接続部１１ａから枡体１１内に雨水が流れ込む。
（２）枡体１１の分岐槽１２における第一分岐槽１３に、雨水が流入する。
（３）流入した雨水は、第一分岐槽１３の下方の貯留部１６で一旦受け止められ、流入する勢いを和らげて一時的に溜められる。
（４）溜められた雨水は、流れを排水パイプ１９方向に変えて、排水管連結用孔１８を介して排水パイプ１９から排水される。
（５）さらに、第一分岐槽１３において排水パイプ１９の排水能力を超えた雨水は、第一分岐槽１３を満杯にしてオーバーフロー壁１７をオーバーフローして第二分岐集水槽１４に流れ込む。
（６）オーバーフローして第二分岐槽１４に流れ込んだ雨水は、第一分岐槽１３と同様、貯留部１６において流入する勢いを和らげて一時的に溜められ、さらに流れを排水パイプ１９方向に変えて、排水管連結用孔１８を介して排水パイプ１９から排水される。
このように段階的に分流されて排水処理される大量の雨水は、効率よく既設の排水施設や河川に排水される。
【実施例５】
【００３７】
図６は、本発明における雨水分流枡１０のさらに別の実施例を示す説明図である。
すなわち、本実施例において、枡体１１の側面あるいは底面の少なくとも一方における所定箇所に、フィルタ、グレーチング、メッシュメタルなどを使った浸透口２０を設けることで、浸透機能が備えられている構成となっている。
【００３８】
かかる構成を採用することにより、排水管連結用孔１８を介して排水パイプ１９から雨水を排水すると同時に、地下にも雨水を浸透させる役割を果たすとともに、特に通常の降雨時の雨水処理においては、排水パイプ１９にゴミや砂利を流出させない役割を果たすものである。
【００３９】
なお、上記各実施例において、各分岐槽１２（特に第二分岐槽１４）の側面に排水管連結用孔１８を複数設け、排水パイプ１９を追加して複数接続することで、排水能力を上げる構成を採ることも可能である。
また、上記実施例２及び実施例３においては、オーバーフロー壁１７を二つ立設することで、枡体１１における分岐槽１２を三つに分離した場合について示しているが、かかるオーバーフロー壁１７をさらに複数立設することで、第四分岐槽、第五分岐槽・・・・と分岐槽１２を多数に分離して、排水能力をさらに向上させることも可能である。
【符号の説明】
【００４０】
１０    雨水分流枡
１１    枡体
１１ａ  Ｕ字溝接続部
１２    分岐槽
１３    第一分岐槽
１４    第二分岐槽
１５    第三分岐槽
１６    貯留部
１７    オーバーフロー壁
１７ａ  上端高さ位置
１８    排水管連結用孔
１８ａ  内径高さ位置
１９    排水パイプ
２０    浸透口
Ｓ    Ｌ型側溝ブロック
【図１】
2011038241.tif 000003
【図２】
2011038241.tif 000004
【図３】
2011038241.tif 000005
【図４】
2011038241.tif 000006
【図５】
2011038241.tif 000007
【図６】
2011038241.tif 000008